(57)【要約】【課題】  きめ細かな購入ルールを設定することで、投票券購入プロセスの利便性をより向上させる。【解決手段】  投票券購入装置１は、購入ルールに基づき購入した投票券の結果に基づいて購入ルールを変更し、変更後の購入ルールに基づき投票券の購入処理を行うことで、きめ細かな購入ルールを設定する。例えば、購入した投票券の結果に基づいて購入ルールが示す購入期間を変更し、変更後の購入ルールが示す購入期間において投票券の購入処理を行うことで、あるいは、購入した投票券の結果に基づいて購入ルールが示す購入金額を変更し、変更後の購入ルールが示す購入金額分の投票券の購入処理を行う。【選択図】      図１
2005202561.tif 000002
【特許請求の範囲】
【請求項１】
投票券の購入ルールを入力し、該購入ルールに基づき投票券の購入処理を行う投票券購入装置において、
前記購入ルールに基づき購入した投票券の結果に基づいて前記購入ルールを変更する購入ルール変更手段と、
前記購入ルール変更後の購入ルールに基づき投票券の購入処理を行う投票券購入手段と、
を具備することを特徴とする投票券購入装置。
【請求項２】
前記購入ルール変更手段は、前記購入した投票券の結果に基づいて前記購入ルールが示す購入期間を変更し、
前記投票券購入手段は、前記購入ルール変更手段が変更後の購入ルールが示す購入期間を読み込んで、該購入期間において投票券の購入処理を行うことを特徴とする請求項１に記載投票券購入装置。
【請求項３】
前記購入ルール変更手段は、前記購入した投票券の結果に基づいて前記購入ルールが示す購入金額を変更し、
前記投票券購入手段は、前記購入ルール変更手段が、変更後の購入ルールが示す購入金額を読み込んで、該購入金額分の投票券の購入処理を行うことを特徴とする請求項１に記載の投票券購入装置。
【請求項４】
前記購入ルール変更手段は、前記購入した投票券の結果に基づいて前記購入ルールが示す購入対象の選択肢を変更し、
前記投票券購入手段は、前記購入ルール変更手段が、変更後の購入ルールが示す購入対象の選択肢を読み込んで、該選択肢の投票券の購入処理を行うことを特徴とする請求項１に記載の投票券購入装置。
【請求項５】
コンピュータが、投票券の購入ルールを入力し、該購入ルールに基づき投票券の購入処理を行う投票券購入方法において、
前記購入ルールに基づき購入した投票券の結果に基づいて前記購入ルールを変更し、前記変更後の購入ルールに基づき投票券の購入処理を行うことを特徴とする投票券購入方法。
【請求項６】
コンピュータに、投票券の購入ルールを入力し、該購入ルールに基づき投票券の購入処理を実行させるためのプログラムであって、
前記購入ルールに基づき購入した投票券の結果に基づいて前記購入ルールを変更する処理と、
前記変更後の購入ルールに基づき投票券を購入する処理と、
を実行させるための投票券購入プログラム。
【発明の詳細な説明】
【技術分野】
【０００１】
本発明は、インターネット等のネットワークを利用して投票券を購入するための投票券購入装置、投票券購入方法及び投票券購入プログラムに関する。
【背景技術】
【０００２】
従来の投票券販売装置では投票券の発売毎に会員からネットワークを介してアクセスを受付けていた。しかしながら、投票券を発売する各回において反復して購入したい場合、会員は何度もアクセスして購入の申込みを行う必要があった。
【０００３】
これに対し、レースの直前に馬番等の番号を指定して投票するだけの簡単で単純な投票サービスの他に、投票の依頼や情報の獲得要求を行うエージェントと呼ばれるオブジェクトを作成し、ホスト装置に送信することで様々な条件に従う高度な投票を行うサービスを実現する遠隔投票システムが提案されている（例えば特許文献１参照）。
【特許文献１】特開平８−２７２８２９号公報（段落００２０〜００３９、図１）
【発明の開示】
【発明が解決しようとする課題】
【０００４】
一方、上記した勝馬投票券はもとより、競輪投票券、サッカー籤等の投票券を購入する場合において、会員によっては、例えば、前日までのゲームの状況に応じて購入する投票券を決定したいというニーズがある。
しかしながら特許文献１に開示された技術を含む従来技術によれば上記したニーズに対応できず、また、一定の購入ルールを登録し、その購入ルールに基づいて反復した投票券の購入を行うこともできなかった。
【０００５】
本発明は、このような事情を考慮してなされたものであり、その目的は、きめ細かな購入ルールを設定することで、投票券購入プロセスの利便性をより向上させることができる、投票券購入装置、投票券購入方法及び投票券購入プログラムを提供することにある。
【課題を解決するための手段】
【０００６】
上記した課題を解決するために本発明は、投票券の購入ルールを入力し、該購入ルールに基づき投票券の購入処理を行う投票券購入装置において、前記購入ルールに基づき購入した投票券の結果に基づいて前記購入ルールを変更する購入ルール変更手段と、前記購入ルール変更後の購入ルールに基づき投票券の購入処理を行う投票券購入手段と、を具備することを特徴とする。
【０００７】
また、本発明において、前記購入ルール変更手段は、前記購入した投票券の結果に基づいて前記購入ルールが示す購入期間を変更し、前記投票券購入手段は、前記購入ルール変更手段が変更後の購入ルールが示す購入期間を読み込んで、該購入期間において投票券の購入処理を行うことを特徴とする。
【０００８】
また、本発明において、前記購入ルール変更手段は、前記購入した投票券の結果に基づいて前記購入ルールが示す購入金額を変更し、前記投票券購入手段は、前記購入ルール変更手段が、変更後の購入ルールが示す購入金額を読み込んで、該購入金額分の投票券の購入処理を行うことを特徴とする。
【０００９】
また、本発明において、前記購入ルール変更手段は、前記購入した投票券の結果に基づいて前記購入ルールが示す購入対象の選択肢を変更し、前記投票券購入手段は、前記購入ルール変更手段が、変更後の購入ルールが示す購入対象の選択肢を読み込んで、該選択肢の投票券の購入処理を行うことを特徴とする。
【００１０】
上記した課題を解決するために本発明は、コンピュータが、投票券の購入ルールを入力し、該購入ルールに基づき投票券の購入処理を行う投票券購入方法において、前記購入ルールに基づき購入した投票券の結果に基づいて前記購入ルールを変更し、前記変更後の購入ルールに基づき投票券の購入処理を行うことを特徴とする。
【００１１】
上記した課題を解決するために本発明は、コンピュータに、投票券の購入ルールを入力し、該購入ルールに基づき投票券の購入処理を実行させるためのプログラムであって、前記購入ルールに基づき購入した投票券の結果に基づいて前記購入ルールを変更する処理と、前記変更後の購入ルールに基づき投票券を購入する処理と、を実行させることを特徴とする。
【発明の効果】
【００１２】
本発明によれば、購入ルールに基づき購入した投票券の結果に基づいて購入ルールを変更し、変更後の購入ルールに基づき投票券の購入処理を行うことで、きめ細かな購入ルールを設定することができ、結果的に投票券購入プロセスの利便性を向上させることができる。
また、購入した投票券の結果に基づいて購入ルールが示す購入期間を変更し、変更後の購入ルールが示す購入期間において投票券の購入処理を行うことで、あるいは、購入した投票券の結果に基づいて購入ルールが示す購入金額を変更し、変更後の購入ルールが示す購入金額分の投票券の購入処理を行うことで、任意のタイミングで、あるいは、資金が有る場合に大量に購入し、資金が無い場合には購入しないといったような融通性の高い購入ルールの設定が可能になる。
【００１３】
更に、購入した投票券の結果に基づいて購入ルールが示す購入対象の選択肢を変更し、変更後の購入ルールが示す購入対象の選択肢により購入内容を決定することで、当該選択肢の組み合わせによっては複雑な条件による購入ルールの設定が可能となり、投票券購入プロセスの利便性をより向上させることができる。
【発明を実施するための最良の形態】
【００１４】
図１は、本発明における投票券購入装置の内部構成、および当該装置が接続される通信インフラストラクチャを説明するために引用した図である。
図１において、符号１は、本発明の投票券購入装置であり、当該投票券購入装置１に、インターネット３等の通信ネットワークを介し、Ｗｅｂブラウザを内蔵するＰＣや携帯電話等から成る複数の会員端末４が接続される。また、符号２は投票券購入装置１を統括管理するホストコンピュータ、符号５は、インターネットバンキングシステム等から成る電子決済サーバである。
【００１５】
投票券購入装置１は、結果等を中央で管理するホストコンピュータ２と会員端末４との間に存在するインターネット３上の独立した機能単位であり、ネットワーク上に少なくとも一つ存在するモールサイトである。仮に一つしか存在しない場合は、ホストシステム２に組み込まれることもある。ホストシステム２は、発券データに基づき作成されたオッズを記憶する発券情報記憶部２１、その結果情報を記憶する結果記憶部２２、そして、投票券購入装置１からの発券申込みに応じて投票券を電子データとして発券する発券管理部２３で構成される。
【００１６】
投票券購入装置１は、受付管理部１１と、結果管理部１２と、文書作成／送付部１３と、購入管理部１４と、決済管理部１５と、購入ルール管理部１６と、各種ＤＢ群１７〜２１で構成される。
受付管理部１１は、会員端末４からのアクセスを受付け、結果管理部１２は、結果に関するデータを管理する。また、文書作成／送付部１３は、会員宛て文書の作成および送信を行い、購入管理部１４は、購入方法のルールに従って処理された購入内容に関するデータを記録し、文書作成／送付部１３に会員宛て文書の作成依頼を行う。購入管理部１４はまた、本発明の投票券購入手段としても機能し、変更後の購入ルールに基づき投票券の購入処理を行う。詳細は後述する。
【００１７】
決済管理部１５は、購入申込みに伴う決済および払い戻しに伴う決済を電子決済サーバ５へ指示する。また、購入ルール管理部１６は、本発明の購入ルール変更手段として機能し、購入ルールに基づき購入した投票券の結果に基づいて購入ルールを変更する機能を持つ。詳細は後述する。
なお、ＤＢ群として、購入会員の氏名、住所、年齢、会員番号、パスワード、メールアドレス等の個人情報を記憶する会員ＤＢ１７、購入申込みデータおよび結果データを記憶する購入管理ＤＢ１８、登録済み購入方法に関するルール等を記憶する購入ルールＤＢ１９、投票券のオッズ情報を会員に提示する際に用いられるオッズ情報ＤＢ２０、そして、実績等、過去の結果データ等に関する状況を会員に提示する際に用いられる結果情報ＤＢ２１が用意される。
【００１８】
図２は、本発明の投票券購入装置の基本動作を説明するために引用したフローチャートであり、併せて本発明の投票券購入プログラムの処理手順も示している。
以下、図２に示すフローチャートを参照しながら本発明の投票券購入装置の動作について詳細に説明する。
【００１９】
購入ルールＤＢ１９には、あらかじめ会員毎の購入ルールが登録されているものとする（Ｓ２１）。まず、ある会員が会員端末４を操作することにより投票券の購入要求が発行される。ここでは、投票権として、勝馬投票券を例示する。勝馬投票券の購入要求は、インターネット３経由で、受付管理部１１で受信され、受付管理部１１は、購入ルール管理部１６と購入管理部１４を起動して購入ルールに基づく勝馬投票券の購入処理を実行する（Ｓ２２）。ここでは購入ルールＤＢ１９に登録された購入ルールに基づき発券され、処理される。
結果は結果情報ＤＢ２１に格納されるが（Ｓ２３）、この結果を見て会員が購入ルールについての変更を要求した場合（Ｓ２４Ｙｅｓ）、購入ルール管理部１６により、結果に基づく購入ルールの変更処理が行われる（Ｓ２５）。
なお、ここでは、会員が購入要求を発行した場合に発券（購入）されるとしたが、例えば、決まった時刻に自動購入することも可能であり、また、結果を見て会員が購入ルールの変更を要求するとしたが、結果から自動的に購入ルールを変更することも可能である。
【００２０】
上記した購入ルールの変更処理につき、繰越金により購入金額を変更する例は図３のフローチャートに、購入者が指定した内容と過去に多く出現している内容の組み合わせにより変更する例は図４のフローチャートに、過去に購入していない内容もしくは購入回数が少ない内容により変更する例は図５のフローチャートにその詳細手順が示されている。
以下、図３〜図５に示すフローチャートに従い購入ルールの変更処理について詳細に説明する。
【００２１】
図３に示すフローチャートから説明する。ここでは、繰越金が、例えば１０万円以上ある場合は購入金額を２倍、繰越金が５０万円以上ある場合は購入金額を３倍にするといった購入ルールを決めておく。
以上を前提に、購入ルール管理部１６は、会員が指定した購入ルールを購入ルールＤＢ１９から読み込む（Ｓ３１）。そして、結果情報ＤＢ２１から繰越金の情報を読み込み（Ｓ３２）、この繰越し金額によって購入金額を変更する（Ｓ３３）。
このことにより、購入管理部１４は、会員が指定した購入内容を先に決定した購入金額分だけ購入する処理を行う（図示せず）。
【００２２】
次に、図４に示すフローチャートについて説明する。ここでは、会員が購入する内容は購入ルールに含まれるものとする。
まず、購入ルール管理部１６は、購入ルールＤＢ１９を参照して購入ルールの読み出しを行う（Ｓ４１）。そして、結果情報ＤＢ２１から、会員が指定している内容を除き、過去に多く出現している選択肢を選択して購入内容を決定する（Ｓ４２）。ここで、同一条件の選択肢が複数存在する場合には（Ｓ４３Ｙｅｓ）、オッズ情報ＤＢ２０のオッズを参照してオッズが高くなる方を選択する（Ｓ４４）。
このことにより、購入管理部１４は、決定した購入内容に基づく購入処理を実行する（図示せず）。
【００２３】
最後に、図５に示すフローチャートについて説明する。まず、購入ルール管理部１６は、購入ルールＤＢ１９を参照して会員が指定した購入ルールの読み出しを行う（Ｓ５１）。そして、会員ＤＢ１７から過去の購入履歴を読み込み、購入回数が少ない内容を決定する（Ｓ５２）。ここで、同一条件の選択肢が複数存在する場合は（Ｓ５３Ｙｅｓ）、結果情報ＤＢ２１の過去の出現回数を参照し、出現回数が少ない選択肢を選択する（Ｓ５４）。
このことにより、購入管理部１４は、決定した購入内容に基づく購入処理を実行する（図示せず）。
なお、上記した図２に示す基本動作を示すフローチャート、および図３〜図５に示す各実施形態におけるフローチャートにおいて、結果に基づき購入ルールを変更後に投票権の購入処理を行うこととしているが、ここでいう購入処理の中には購入を停止する処理も含むこととする。
【００２４】
以上説明した本発明実施形態では、（１）繰越金により購入金額を変更する例、（２）購入者が指定した内容と過去に多く出現している内容の組み合わせ、（３）過去に購入していない内容もしくは購入回数が少ない内容を購入ルールに反映させる例についてのみ説明したが、他に、（４）購入期間を指定、（５）結果により選択肢を変更、（６）過去に多く出現している選択肢、（７）オッズが高い選択肢、（８）購入者が指定した内容の組み合わせのみを決定、（９）コンピュータが指定等、（１０）過去に出現内容が少ない選択肢、（１１）購入者が指定した内容とオッズが高い選択肢の組み合わせ等々、を購入ルールに反映しても良く、その組み合わせは任意である。
また、上記した本発明実施形態によれば、勝馬投票券を例示したが、他に、競輪投票券、ｔｏｔｏ（サッカー籤）等、購入内容を決定するルールと購入内容決定に必要な情報から購入内容を決定する全てのアプリケーションに応用が可能である。
【００２５】
以上説明のように本発明は、購入ルールに基づき購入した投票券の結果に基づいて購入ルールを変更し、変更後の購入ルールに基づき投票券の購入処理を行うことで、きめ細かな購入ルールを設定することができるものであり、結果的に投票券購入プロセスの利便性を向上させるものである。
なお、図１に示す受付管理部１１と、結果管理部１２と、文書作成／送付部１３と、購入管理部１４と、決済管理部１５と、購入ルール管理部１６のそれぞれで実行される手順をコンピュータ読取り可能な記録媒体に記録し、この記録媒体に記録されたプログラムをコンピュータシステムに読込ませ、実行することによっても本発明を実現することができる。ここでいうコンピュータシステムとは、ＯＳや周辺機器等のハードウェアを含む。
【００２６】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２８】
【図１】本発明における投票券購入装置の内部構成、および当該装置が接続される通信インフラストラクチャを説明するために引用した図である。
【図２】本発明の投票券購入装置の基本動作を説明するために引用したフローチャートである。
【図３】本発明の一実施形態の動作を説明するために引用したフローチャートである。
【図４】本発明の他の実施形態の動作を説明するために引用したフローチャートである。
【図５】本発明の更に他の実施形態の動作を説明するために引用したフローチャートである。
【符号の説明】
【００２９】
１…投票券購入装置、２…ホストシステム、３…インターネット、４…会員端末、５…電子決済サーバ、１１…受付管理部、１２…結果管理部、１３…文書作成／送付部、１４…購入管理部、１５…決済管理部、１６…購入ルール管理部、１７…会員ＤＢ、１８…購入管理ＤＢ、１９…購入ルールＤＢ、２０…オッズ情報ＤＢ、２１…結果情報ＤＢ
【図１】
2005202561.tif 000003
【図２】
2005202561.tif 000004
【図３】
2005202561.tif 000005
【図４】
2005202561.tif 000006
【図５】
2005202561.tif 000007